(57)【特許請求の範囲】
【請求項１】
燃焼室内に設けた火格子にて廃棄物を支持させ、上記火格子の下方位置に設けた風箱より火格子を通して燃焼室内へ燃焼用空気を供給して廃棄物を燃焼させるようにしてあるストーカ式焼却炉の燃焼用空気供給方法において、上記風箱に、長手方向及び幅方向にそれぞれ複数分割して形成する分割流路の幅方向の各分割流路の分割数を長手方向の下流側の方を上流側よりも多くなるように多数の分割流路を設け、各分割流路を通して供給される燃焼用空気の供給圧力と流量から上記各分割流路の上方に位置する廃棄物の厚さを推定し、推定された厚さの廃棄物の燃焼に適切な量となるように上記各分割流路毎に供給量を調整して燃焼用空気を供給することを特徴とするストーカ式焼却炉の燃焼用空気供給方法。
【請求項２】
燃焼室内の底部に、多数の空気孔を備えた火格子を配置し、該火格子上に供給された廃棄物を、下部の風箱から上記空気孔を通して吹き込んだ燃焼用空気により燃焼させるようにしてあるストーカ式焼却炉における上記風箱に、長手方向及び幅方向にそれぞれ複数分割して形成する分割流路の幅方向の各分割流路の分割数を長手方向の下流側の方を上流側よりも多くなるように多数の分割流路を設け、且つ上記各分割流路に燃焼用空気を供給するための空気供給管を各々接続して、該各空気供給管に、流量調整弁と、上記各分割流路に供給する燃焼用空気の供給圧力と流量を測定するためのセンサとを設け、更に、該各センサにより検出された供給圧力及び流量の検出値を入力して、上記各分割流路の上方位置となる廃棄物層の厚さを推定し且つ推定された厚さの廃棄物の燃焼に適した量の燃焼用空気が上記各分割流路を通して供給されるように上記各流量調整弁を調節させるようにする制御装置を設けた構成を有することを特徴とするストーカ式焼却炉の燃焼用空気供給装置。
【請求項３】
周方向に一定間隔で配列した水管を多数の空気孔を穿設したフィンで連結して、内部を燃焼室としてなる円筒状の火格子を、カバーケーシング内に回転駆動可能に横置きし、該円筒状の火格子内に供給された廃棄物を、下部の風箱から上記空気孔を通して吹き込まれる燃焼用空気により燃焼させるようにしてある回転ストーカ式焼却炉における上記風箱に、長手方向及び幅方向にそれぞれ複数分割した多数の分割流路を設け、且つ上記各分割流路に燃焼用空気を供給するための空気供給管を各々接続して、該各空気供給管に、流量調整弁と、上記各分割流路に供給する燃焼用空気の供給圧力と流量を測定するためのセンサとを設け、更に、該各センサにより検出された供給圧力及び流量の検出値を入力して、上記各分割流路の上方位置となる廃棄物層の厚さを推定し、推定された厚さの廃棄物の燃焼に適した量の燃焼用空気が上記各分割流路を通して供給されるように上記各流量調整弁を調節させるようにする制御装置を設けた構成を有することを特徴とするストーカ式焼却炉の燃焼用空気供給装置。
【請求項４】
幅方向の各分割流路の分割数を、長手方向の上流側の方を下流側よりも多くするようにした請求項３記載のストーカ式焼却炉の燃焼用空気供給装置。
【発明の詳細な説明】
【０００１】
【発明の属する技術分野】
本発明は都市ごみ等の廃棄物をストーカ式焼却炉にて燃焼させる際に、燃焼室内の温度及び酸素濃度を安定に保持して、一酸化炭素（ＣＯ）や窒素酸化物の如き汚染物質の発生を抑制することのできるストーカ式焼却炉の燃焼用空気供給方法及び装置に関するものである。
【０００２】
【従来の技術】
廃棄物を焼却処理するための焼却炉の一つとして、廃棄物を燃焼室内に設けた火格子により支持した状態で燃焼させるストーカ式焼却炉があり、該ストーカ式焼却炉としては、火格子の形式により図３（イ）（ロ）に示す如き階段ストーカ式焼却炉１と図４（イ）（ロ）（ハ）に示す如き回転ストーカ式焼却炉２が知られている。
【０００３】
上記階段ストーカ式焼却炉１は、図３（イ）（ロ）にその一例の概略を示す如く、一次燃焼室３内の底部に、多数の空気孔４を設けた火格子５を入口側よりも出口側の方が低くなるよう階段状に配置して階段ストーカ本体６を形成し、該階段ストーカ本体６の各火格子５は図示しない駆動装置により所要の振動を行わせるようにしてあって、上側に載置された物を入口側から出口側に順に送ることができるようにしてあり、投入ホッパ７内の廃棄物８が給じん装置９により階段ストーカ本体６上に供給されて下流側へ送られる間に、上記階段ストーカ本体６の下側位置に配置して一次燃焼室３に連設してある風箱１０から空気孔４を通して階段ストーカ本体６上の廃棄物８に燃焼用空気１１を下方より吹き込むように供給することにより、廃棄物８を燃焼させるようにしてあり、この燃焼により発生する未燃ガスは、一次燃焼室３の上部に連設した二次燃焼室１２に導かれ、該二次燃焼室１２に接続した空気ノズル１３より供給される燃焼用空気１１により完全燃焼させられるようにしてある。
【０００４】
又、上記階段ストーカ式焼却炉１の風箱１０は、長手方向（廃棄物の送り方向）に複数分割、たとえば、３分割した長手方向分割流路１４を設けて、階段ストーカ本体６上にて入口側から出口側に向けて燃焼により廃棄物８の層の厚さが減少してゆく傾向に対応して、入口側、中間部、出口側の各長手方向分割流路１４毎に燃焼用空気１１の供給量をそれぞれ変えるように設定されている。
【０００５】
一方、上記回転ストーカ式焼却炉２は、図４（イ）（ロ）（ハ）にその一例の概略を示す如く、リング状に形成した入口側ヘッダー管１５と出口側ヘッダー管１６との間に、多数の水管１７を周方向に一定間隔で配置してそれぞれ連通接続すると共に、該各水管１７間の隙間に、長手方向所要間隔位置に多数の空気孔１８を穿設したフィン１９を取り付けて内部が一次燃焼室２０となる円筒状の火格子としての回転ストーカ本体２１を配置し、該回転ストーカ本体２１をカバーケーシング２２内に入口側ヘッダー管１５よりも出口側ヘッダー管１６の方が低くなるように傾斜させて駆動装置２３により回転駆動可能に横置きし、各水管１７内に出口側ヘッダー管１６に連結したロータリージョイント２４を介してボイラ水を循環流通させるようにし、上記回転ストーカ本体２１を低速で回転駆動させた状態において、投入ホッパ７内の廃棄物８を給じん装置９により回転ストーカ本体２１内へ装入し、上記回転ストーカ本体２１の下側位置に配置してカバーケーシング２２に連設した風箱１０Ａから空気孔１８を通して回転ストーカ本体２１内の廃棄物８に燃焼用空気１１を下方より吹き込むように供給することにより、廃棄物８を燃焼させるようにしてあり、この燃焼により発生する未燃ガスは回転ストーカ本体２１の出口側の上部位置に設けたオーバーコンバスタエアＯＣＡ供給器２５から供給した燃焼用空気１１と共に二次燃焼室２６に送り、該二次燃焼室２６に接続した空気ノズル１３より供給される燃焼用空気１１により完全燃焼させるようにしてある。
【０００６】
又、上記回転ストーカ式焼却炉２の風箱１０Ａは、図３（イ）（ロ）に示した階段ストーカ式焼却炉１の風箱１０と同様に、長手方向に複数の長手方向分割流路１４を設けて、回転ストーカ本体２１内において入口側から出口側に向けて燃焼により廃棄物８の層の厚さが減少してゆく傾向に合わせて燃焼用空気１１の供給量を変えるように設定されている。
【０００７】
なお、図３（イ）（ロ）及び図４（イ）（ロ）（ハ）において８ａは廃棄物８のうちある程度燃焼の進行した廃棄物を、又、２７は炎を示し、又、図４（イ）（ロ）（ハ）における２８は燃焼灰の後燃焼装置である。
【０００８】
【発明が解決しようとする課題】
ところが、上記階段ストーカ式焼却炉１、及び、回転ストーカ式焼却炉２では、装入される廃棄物８の性状の不均一性に起因する、燃焼の進行速度の違いから、図３（ロ）及び図４（ロ）に二点鎖線で示す如く、階段ストーカ本体６上、あるいは、回転ストーカ本体２１内にて幅方向に位置する廃棄物８の層に対して、局所的に薄い部分８ｂが生じることがあり、この場合、風箱１０，１０Ａの各長手方向分割流路１４から幅方向に一律に供給されている燃焼用空気１１が上記廃棄物８層の薄い部分８ｂを吹き抜けて、一次燃焼室３，２０内に余剰空気が発生し、この余剰空気により一次燃焼室３，２０内の温度が低下させられて不完全燃焼にともなう一酸化炭素（ＣＯ）が増加する虞が生じるという問題があり、又、上記余剰空気により一次燃焼室３，２０内に局部的な空気過剰燃焼領域、すなわち、酸素濃度の高い領域が生じて窒素酸化物（ＮＯｘ）の発生量が増加する虞が生じるという問題もある。
【０００９】
そこで、本発明は、装入する廃棄物の性状に起因して、火格子上で燃焼される廃棄物の層に局所的に薄い部分が生じても、燃焼用空気の吹き抜けによる余剰空気の発生を防ぐことができ、燃焼室内の温度及び酸素濃度を安定した状態で保持することができて、一酸化炭素や窒素酸化物の如き汚染物質の発生を抑制することができるようにしようとするものである。
【００１０】
【課題を解決するための手段】
本発明は、上記課題を解決するために、燃焼室内に設けた火格子にて廃棄物を支持させ、上記火格子の下方位置に設けた風箱より火格子を通して燃焼室内へ燃焼用空気を供給して廃棄物を燃焼させるようにしてあるストーカ式焼却炉の燃焼用空気供給方法において、上記風箱に、長手方向及び幅方向にそれぞれ複数分割して形成する分割流路の幅方向の各分割流路の分割数を長手方向の下流側の方を上流側よりも多くなるように多数の分割流路を設け、各分割流路を通して供給される燃焼用空気の供給圧力と流量から上記各分割流路の上方に位置する廃棄物の厚さを推定し、推定された厚さの廃棄物の燃焼に適切な量となるように上記各分割流路毎に供給量を調整して燃焼用空気を供給することを特徴とするストーカ式焼却炉の燃焼用空気供給方法と、燃焼室内の底部に、多数の空気孔を備えた火格子を配置し、該火格子上に供給された廃棄物を、下部の風箱から上記空気孔を通して吹き込んだ燃焼用空気により燃焼させるようにしてあるストーカ式焼却炉における上記風箱に、長手方向及び幅方向にそれぞれ複数分割して形成する分割流路の幅方向の各分割流路の分割数を長手方向の下流側の方を上流側よりも多くなるように多数の分割流路を設け、且つ上記各分割流路に燃焼用空気を供給するための空気供給管を各々接続して、該各空気供給管に、流量調整弁と、上記各分割流路に供給する燃焼用空気の供給圧力と流量を測定するためのセンサとを設け、更に、該各センサにより検出された供給圧力及び流量の検出値を入力して、上記各分割流路の上方位置となる廃棄物層の厚さを推定し且つ推定された厚さの廃棄物の燃焼に適した量の燃焼用空気が上記各分割流路を通して供給されるように上記各流量調整弁を調節する機能させるようにする制御装置を設けた構成を有することを特徴とするストーカ式焼却炉の燃焼用空気供給装置とし、又、周方向に一定間隔で配列した水管を多数の空気孔を穿設したフィンで連結して、内部を燃焼室としてなる円筒状の火格子を、カバーケーシング内に回転駆動可能に横置きし、該円筒状の火格子内に供給された廃棄物を、下部の風箱から上記空気孔を通して吹き込まれる燃焼用空気により燃焼させるようにしてある回転ストーカ式焼却炉における上記風箱に、長手方向及び幅方向にそれぞれ複数分割した多数の分割流路を設け、且つ上記各分割流路に燃焼用空気を供給するための空気供給管を各々接続して、該各空気供給管に、流量調整弁と、上記各分割流路に供給する燃焼用空気の供給圧力と流量を測定するためのセンサとを設け、更に、該各センサにより検出された供給圧力及び流量の検出値を入力して、上記各分割流路の上方位置となる廃棄物層の厚さを推定し、推定された厚さの廃棄物の燃焼に適した量の燃焼用空気が上記各分割流路を通して供給されるように上記各流量調整弁を調節させるようにする制御装置を設けた構成を有するストーカ式焼却炉の燃焼用空気供給装置とする。
【００１１】
供給される廃棄物の性状の不均一性により、火格子上で燃焼される廃棄物の層に、局所的に薄い部分が生じると、該部分に対応する風箱の分割流路から供給される燃焼用空気の供給圧力が低下すると共に、流量が増加する変化が生じる。この供給圧力及び流量の変化は上記分割流路に対応するセンサで検出され、検出された値を基に制御装置により上記部分の廃棄物層の厚さが推定され、推定された厚さに適した供給量の燃焼用空気となるように上記空気供給管の流量調整弁が絞り操作される。
【００１２】
又、ストーカ式焼却炉においては、幅方向の各分割流路の分割数を、長手方向の下流側の方を上流側よりも多くするようにしているため、燃焼用空気が廃棄物の層の薄い部分を吹き抜け易い下流側において、燃焼用空気の供給量の調節を適切に行うことができる。
【００１３】
更に、円筒状の火格子を回転駆動可能に横置きした形式のストーカ式焼却炉においては、幅方向の各分割流路の分割数を、長手方向の上流側の方を下流側よりも多くするようにすると、廃棄物の性状の不均一性がより大きくて、これにより廃棄物の層厚さがより不均一になり易い上流側において、燃焼用空気の供給量の調節を適切に行うことができる。
【００１４】
【発明の実施の形態】
以下、本発明の実施の形態を図面を参照して説明する。
【００１５】
図１（イ）（ロ）（ハ）は本発明のストーカ式焼却炉の燃焼用空気供給方法及び装置の実施の一形態を示すもので、図３（イ）（ロ）に示したものと同様の構成としてある階段ストーカ式焼却炉１において、風箱１０を図３（イ）と同様に長手方向に複数分割するほかに、幅方向に複数分割する。この場合、廃棄物８の層の薄い部分を燃焼用空気１１が吹き抜け易い下流側の方が上流側よりも幅方向の分割数が多くなるように、たとえば、長手方向に３分割して各分割流路を形成した場合は、上流側となる入口側及び中間部の各分割流路１４では幅方向に２分割、下流側となる出口側の分割流路１４では幅方向に３分割した構成として多数の分割流路２９を形成し、該各幅方向の分割流路２９に、各々流量調整弁３０を設けた空気供給管３１を接続して、図示しない空気供給装置から供給される燃焼用空気１１を各分割流路２９に流量調整弁３０を介して供給することができるようにし、且つ上記各空気供給管３１の流量調整弁３０の下流側位置に、各空気供給管３１から各分割流路２９を通して階段ストーカ本体６上の廃棄物８層に吹き込まれる燃焼用空気１１の供給圧力と流量を測定するためのセンサ３２を設け、更に、該各センサ３２から得られる供給圧力検出値と流量検出値を基に、各空気供給管３１の各流量調整弁３０の開度を調節するための制御装置３３を設ける。その他、図３（イ）（ロ）に示したものと同一のものには同一符号が付してある。
【００１６】
上記制御装置３３は、各空気供給管３１を通して廃棄物８に吹き込まれる燃焼用空気１１の供給圧力と供給流量の各検出信号をセンサ３２より入力し、該供給圧力検出信号と流量検出信号を基に、該各センサ３２を取り付けた空気供給管３１が接続してある各分割流路２９に対応する階段ストーカ本体６上面の各分割区画毎の廃棄物８層の厚さを推定し、推定された廃棄物８層の厚さに応じて燃焼に適切な量の燃焼用空気１１が供給されるように、対応する流量調整弁３０の開度を調節操作させるようにする。
【００１７】
すなわち、たとえば、階段ストーカ本体６上に供給される廃棄物８の性状の不均一性により、廃棄物８が燃焼される際、図１（ロ）に二点鎖線で示す如く、階段ストーカ本体６の長手方向出口側において、幅方向の両側部に比して中央部に、局所的に廃棄物８層の薄い部分８ｂが生じると、該部分８ｂに対応する分割流路２９からの燃焼用空気１１が廃棄物８層を通過し易くなるため、該分割流路２９に接続した空気供給管３１に設けたセンサ３２により燃焼用空気１１の供給圧力の低下と流量の増加が検出される。この検出信号３４が制御装置３３に送られると、該制御装置３３では、検出された燃焼用空気１１の供給圧力の低下量と流量の増加量を基に上記部分８ｂの廃棄物８層の厚さがどの程度薄くなっているかを推定し、推定された厚さの廃棄物８層でも吹き抜けを生じない適切な量、すなわち、より少ない供給量の燃焼用空気１１が供給されるように、上記空気供給管３１の流量調整弁３０に開度を絞るよう操作指令３５を与え、該流量調整弁３０を絞り操作して上記空気供給管３１より対応する分割流路２９を通して廃棄物８層の薄い部分８ｂに供給される燃焼用空気１１の供給量を減少させるようにする。
【００１８】
このように、階段ストーカ本体６上に載る廃棄物８層に局所的に薄い部分８ｂが生じても、該部分８ｂにおける燃焼用空気１１の吹き抜けを速やかに防ぐことができることから、一次燃焼室３内に余剰空気が発生することを防止することができ、したがって、従来の如き余剰空気の発生による一次燃焼室３内の温度低下や空気過剰燃焼を防いで、一次燃焼室３内の温度を高温に保持し、且つ酸素濃度を安定に保持することができて、一酸化炭素や窒素酸化物の如き汚染物質の発生を抑制することができる。又、廃棄物８層の厚さ、すなわち、廃棄物８の量に応じて適切な供給量の燃焼用空気１１を供給するようにしていることから、廃棄物８の焼却、熱分解の促進を図ることができ、更に、余剰空気の一次燃焼室３内への供給を防止することができることから、従来に比して排ガス量を低減することができる。
【００１９】
次に、図２（イ）（ロ）（ハ）は本発明の実施の他の形態を示すもので、図４（イ）（ロ）（ハ）に示したものと同様の構成としてある回転ストーカ式焼却炉２における風箱１０Ａに、図１（イ）（ロ）（ハ）に示した実施の形態と同様の長手方向に複数の分割流路１４を形成するほかに、幅方向に複数分割して多数の分割流路２９を設ける。この場合、廃棄物８の性状の不均一性がより大となる上流側の方が下流側よりも幅方向の分割数が多くなるように、たとえば、上流側となる入口側及び中間部の各分割流路１４では、幅方向に３分割、下流側となる出口側の分割流路１４では幅方向に２分割した構成として多数の分割流路２９を形成する。更に、各分割流路２９に、それぞれ流量調整弁３０とセンサ３２を設けた空気供給管３１を介して図示しない空気供給装置を接続し、且つ上記センサ３２により検出される各分割流路２９毎の燃焼用空気１１の供給圧力と流量を基に、制御装置３３により上記各流量調整弁３０の開度を調節操作させるようにする。その他、図４（イ）（ロ）（ハ）に示したものと同一のものには同一符号が付してある。
【００２０】
本実施の形態によれば、図２（ロ）に二点鎖線で示す如く、廃棄物８層に厚さの薄い部分８ｂが生じた場合、上記実施の形態と同様に上記部分８ｂに対応する分割流路２９からの燃焼用空気１１の供給量を減らして、一次燃焼室２０内に余剰空気が発生することを防止することができて、一酸化炭素や窒素酸化物の如き汚染物質の発生を抑制することができる。
【００２１】
なお、本発明は上記実施の形態のみに限定されるものではなく、長手方向の分割流路１４毎の幅方向の分割流路２９の各分割数は、階段ストーカ式焼却炉１又は回転ストーカ式焼却炉２のサイズに応じて自在に決定してよいこと、その他、本発明の要旨を逸脱しない範囲内において種々変更を加え得ることは勿論である。
【００２２】
【発明の効果】
以上述べた如く、本発明のストーカ式焼却炉の燃焼用空気供給方法及び装置によれば、燃焼室内に設けた火格子にて廃棄物を支持させ、上記火格子の下方位置に設けた風箱より火格子を通して燃焼室内へ燃焼用空気を供給して廃棄物を燃焼させるようにしてあるストーカ式焼却炉の燃焼用空気供給方法において、上記風箱に、長手方向及び幅方向にそれぞれ複数分割して形成する分割流路の幅方向の各分割流路の分割数を長手方向の下流側の方を上流側よりも多くなるように多数の分割流路を設け、各分割流路を通して供給される燃焼用空気の供給圧力と流量から上記各分割流路の上方に位置する廃棄物の厚さを推定し、推定された厚さの廃棄物の燃焼に適切な量となるように上記各分割流路毎に供給量を調整して燃焼用空気を供給する方法と、燃焼室内の底部に、多数の空気孔を備えた火格子を配置し、該火格子上に供給された廃棄物を、下部の風箱から上記空気孔を通して吹き込んだ燃焼用空気により燃焼させるようにしてあるストーカ式焼却炉における上記風箱に、長手方向及び幅方向にそれぞれ複数分割して形成する分割流路の幅方向の各分割流路の分割数を長手方向の下流側の方を上流側よりも多くなるように多数の分割流路を設け、且つ上記各分割流路に燃焼用空気を供給するための空気供給管を各々接続して、該各空気供給管に、流量調整弁と、上記各分割流路に供給する燃焼用空気の供給圧力と流量を測定するためのセンサとを設け、更に、該各センサにより検出された供給圧力及び流量の検出値を入力して、上記各分割流路の上方位置となる廃棄物層の厚さを推定し且つ推定された厚さの廃棄物の燃焼に適した量の燃焼用空気が上記各分割流路を通して供給されるように上記各流量調整弁を調節する機能させるようにする制御装置を設けた構成を有する装置とし、又、周方向に一定間隔で配列した水管を多数の空気孔を穿設したフィンで連結して、内部を燃焼室としてなる円筒状の火格子を、カバーケーシング内に回転駆動可能に横置きし、該円筒状の火格子内に供給された廃棄物を、下部の風箱から上記空気孔を通して吹き込まれる燃焼用空気により燃焼させるようにしてある回転ストーカ式焼却炉における上記風箱に、長手方向及び幅方向にそれぞれ複数分割した多数の分割流路を設け、且つ上記各分割流路に燃焼用空気を供給するための空気供給管を各々接続して、該各空気供給管に、流量調整弁と、上記各分割流路に供給する燃焼用空気の供給圧力と流量を測定するためのセンサとを設け、更に、該各センサにより検出された供給圧力及び流量の検出値を入力して、上記各分割流路の上方位置となる廃棄物層の厚さを推定し、推定された厚さの廃棄物の燃焼に適した量の燃焼用空気が上記各分割流路を通して供給されるように上記各流量調整弁を調節させるようにする制御装置を設けた構成を有する装置としてあるので、火格子上で燃焼される廃棄物の層に局所的に薄い部分が生じても、該部分に対応する風箱の分割流路からの燃焼用空気の供給量を速かに適切な量として、燃焼室内に余剰空気が発生することを防止することができ、したがって、余剰空気の発生に伴う燃焼室の温度の低下や酸素濃度の増加を防止することができ、これにより燃焼室内を高温に保持し、且つ、酸素濃度を安定に保持することができて、一酸化炭素や窒素酸化物（ＮＯｘ）の如き汚染物質の発生を抑制することができ、又、火格子上の廃棄物の層厚さに応じて適切な空気の供給量とすることができることから廃棄物の熱分解の促進を図ることができ、更に、余剰空気をなくして、排ガス量を低減させることができるという優れた効果を発揮する。更に又、幅方向の各分割流路の分割数を、前記したように、ストーカ式焼却炉においては、長手方向の下流側の方を上流側よりも多くなるようにした構成とし、円筒状の火格子を回転駆動可能に横置きした形式のストーカ式焼却炉においては、長手方向の上流側の方を下流側よりも多くするようにしてあるので、燃焼用空気の供給量の調節をより適切に行うことができるという効果を発揮する。
【図面の簡単な説明】
【図１】本発明のストーカ式焼却炉の燃焼用空気供給方法及び装置の実施の一形態を示すもので、（イ）は切断概略側面図、（ロ）は（イ）のＡ−Ａ矢視図、（ハ）は（イ）のＢ−Ｂ矢視図である。
【図２】本発明の実施の他の形態を示すもので、（イ）は切断概略側面図、（ロ）は（イ）のＣ−Ｃ矢視図、（ハ）は（イ）のＤ−Ｄ矢視図である。
【図３】従来の階段ストーカ式焼却炉の一例の概略を示すもので、（イ）は切断概略側面図、（ロ）は（イ）のＥ−Ｅ矢視図である。
【図４】従来の回転ストーカ式焼却炉の一例の概略を示すもので、（イ）は切断概略側面図、（ロ）は（イ）のＦ−Ｆ矢視図、（ハ）は（イ）のＧ部の拡大図である。
【符号の説明】
１  階段ストーカ式焼却炉（ストーカ式焼却炉）
２  回転ストーカ式焼却炉（ストーカ式焼却炉）
３  一次燃焼室（燃焼室）
４  空気孔
５  火格子
６  階段ストーカ本体
８，８ａ  廃棄物
８ｂ  部分
１０，１０Ａ  風箱
１１  燃焼用空気
１７  水管
１８  空気孔
１９  フィン
２０  一次燃焼室（燃焼室）
２１  回転ストーカ本体（火格子）
２２  カバーケーシング
２９  分割流路
３０  流量調整弁
３１  空気供給管
３２  センサ
３３  制御装置
【図１】
0004135260.tif 000002
【図２】
0004135260.tif 000003
【図３】
0004135260.tif 000004
【図４】
0004135260.tif 000005